(57)【要約】【課題】ヒータ暖房装置の自動ＯＦＦタイマーの時間が固定式であると、自動ＯＦＦ時点で充分に温まっていない場合は、冷えてきたのに使用者が気づいて始めて自動ＯＦＦした事がわかり、その時点で再スタートしても温まるまでに余分に時間がかかってしまい、快適性を損なうことになる。【解決手段】温度センサーで気温やヒータ温度情報を得て、自動ＯＦＦタイマーの設定時間を、動作開始時の気温やタイマー時間到達時の気温やヒータ温度の上昇具合等により自動的にタイマー時間を設定することが出来るようにして、最適なタイミングで自動的にヒータをＯＦＦさせることが可能となる。【選択図】図１
2008267612.tif 000002
【特許請求の範囲】
【請求項１】
ヒータと、スイッチと、タイマーと、温度センサとを備え、前記スイッチの操作で前記ヒータへの通電開始と前記タイマーの計時開始と前記温度センサでの室温情報取得とを行い、前記室温情報から所定の方法で算出したタイマー時間Ｔを設定し、前記タイマーが時間Ｔを計時すれば前記ヒータへの通電を切る構成としたヒータ制御装置。
【請求項２】
ヒータと、スイッチと、タイマーと、温度センサとを備え、前記スイッチの操作で前記ヒータへの通電開始と前記タイマーの計時開始と前記温度センサで室温情報の取得開始を行い、前記タイマーが時間Ｔを計時した時に、前記温度センサが取得した室温情報が所定の温度以下の場合は、ヒータ通電を継続し、前記タイマーが時間Ｔ＋Ｔ２を計時すれば前記ヒータへの通電を切る構成としたヒータ制御装置。
【請求項３】
タイマーが時間Ｔを計時した時に、温度センサが取得した室温情報が所定の温度以下の場合は、ヒータの電力を徐々に落としながら通電継続し、前記タイマーが時間Ｔ＋Ｔ２を計時すれば前記ヒータへの通電を切る構成とした請求項２に記載のヒータ制御装置。
【請求項４】
ヒータと、スイッチと、タイマーと、温度センサとを備え、前記スイッチの操作で前記ヒータへの通電開始と前記タイマーの計時開始とを行い、前記温度センサで前記ヒータの温度情報を取得し、所定の設定温度以上であれば前記ヒータへの通電を切り、前記設定温度以下であれば前記ヒータへ通電する、ということを常に繰り返すことで、前記ヒータの温度を前記設定温度付近に保つ機能を備え、前記タイマーが時間Ｔを計時した時に、前記温度センサが取得したヒータ温度が前記設定温度以下の場合は、ヒータ通電を継続し、前記設定温度に到達した時点で前記ヒータへの通電を切る構成としたヒータ制御装置。
【請求項５】
ヒータと、スイッチと、タイマーと、時間測定手段と、温度センサとを備え、前記スイッチの操作で前記ヒータへの通電開始と前記タイマーの計時開始と時間測定手段の計時開始を行い、前記温度センサで前記ヒータの温度情報を取得し、所定の設定温度以上であれば前記ヒータへの通電を切り、前記設定温度以下であれば前記ヒータへ通電する、ということを常に繰り返すことで、前記ヒータの温度を前記設定温度付近に保つ機能を備え、前記時間測定手段は前記ヒータへの通電開始から、最初に前記ヒータへの通電を切るまでの時間ｔを測定し、前記時間ｔから所定の方法で算出したタイマー時間Ｔを設定し、前記タイマーが時間Ｔを計時すれば前記ヒータへの通電を切る構成としたヒータ制御装置。
【発明の詳細な説明】
【技術分野】
【０００１】
本発明は、所定の時間で自動ＯＦＦするタイマーを備えたヒータ加熱装置のタイマー時間を固定の時間とするのではなくて、快適なタイミングを予測して自動的にタイマー時間を加減することができる構成としたヒータ制御装置に関するものである。
【背景技術】
【０００２】
従来、この種のヒータ制御装置は、切り忘れ防止タイマーを設けることにより連続通電を防止でき、安全性を向上させていた（例えば、特許文献１参照）。
【０００３】
図７は、特許文献１に記載された従来のヒータ制御装置を示すもので、蓄熱温風器を制御している例である。図７に示すようにヒータ６１と、蓄熱部５７と、切り忘れタイマー５８と、切り忘れスイッチ５９と、蓄熱スイッチ６０と、ファンモータスイッチ６１から構成されている。
【０００４】
蓄熱スイッチ６０をＯＮにすれば、ヒータ５６に通電され、蓄熱部５７に蓄熱される。所定の時間蓄熱後に、ファンモータスイッチ６１を入れると、蓄熱された熱にヒータ５６の熱が加わって、大きな熱量の温風を大電流を消費せずに可能とする為、従来の温風器では家庭用コンセントの電源に頼っていたために限界があったが、本方式ではそれ以上の熱量を取り出すことが可能となるので、例えばガスや石油を燃料とする暖房機にも匹敵する熱量の温風送出が可能となり、しかも燃焼部分が無いので排気ガスも無く、安全でクリーンな暖房器具を提供出来ていた。蓄熱温風器はその原理上、しばらく蓄熱してから使用する方式である為、ややもすると蓄熱状態で放置され、蓄熱スイッチ６０を切り忘れる懸念があった。このため、切り忘れタイマー５８を設け、所定時間以上蓄熱した場合は切り忘れスイッチ５９によりヒータ５６への通電を切る構成となっており、長時間の連続通電を防止し、安全性を向上させていた。
【特許文献１】特開平８−３０３８６７号公報
【発明の開示】
【発明が解決しようとする課題】
【０００５】
しかしながら、前記従来の構成では、切り忘れタイマー５８の時間は固定されており、周囲温度の条件や実際の加熱状況等の条件が加味されていない為、場合によっては充分に蓄熱されていない状態で切り忘れタイマー５８が作動してヒータ５６の電流を切る可能性があった。
【０００６】
例えば、製品を使用している部屋の室温が通常より極めて低い場合、ヒータ５６の加熱による蓄熱温度が通常の室温の場合よりも低い場合であっても、切り忘れタイマー５８の設定時間が経過すれば強制的にＯＦＦしてしまい、使おうとしたときに蓄熱不十分で、充分な暖房性能が発揮出来なくなる、という課題を有していた。
【０００７】
本発明は、前記従来の課題を解決するもので、所定の時間で自動ＯＦＦするタイマーを備えたヒータ加熱装置のタイマー時間を固定の時間とするのではなくて、快適なタイミングを予測して、自動的にタイマー時間を加減することができる構成とすることで、ヒータ加熱時間を自動的に最適化できる快適なヒータ制御装置を提供することを目的とする。
【課題を解決するための手段】
【０００８】
前記従来の課題を解決するために、本発明のヒータ制御装置は、ヒータと、スイッチと、タイマーと、温度センサとを備え、前記スイッチの操作で前記ヒータへの通電開始と前
記タイマーの計時開始と、前記温度センサでの室温情報取得とを行い、前記室温情報から所定の方法で算出したタイマー時間Ｔを設定し、前記タイマーが所定の時間Ｔを計時すれば前記ヒータへの通電を切る構成とすることで、ヒータ加熱動作時間を加熱開始時の室温に応じて自動的に加減することが出来るヒータ制御装置としたものである。
【０００９】
また、本発明のヒータ制御装置は、タイマーが時間Ｔを計時した時点の室温を温度センサで検知し、室温が所定の温度以下であればヒータ通電を時間Ｔ２だけ延長する構成とすることで、室温が低いときにはタイマー時間を自動延長することが出来るヒータ制御装置としたものである。
【００１０】
また、本発明のヒータ制御装置は、タイマーが時間Ｔを計時した時に、温度センサが取得した室温情報が所定の温度以下の場合は、ヒータの電力を徐々に落としながら通電継続し、前記タイマーが時間Ｔ＋Ｔ２を計時すれば前記ヒータへの通電を切る構成とすることで、室温が低いときは、タイマー時間が来てもすぐにヒータ通電を切らずに徐々に室温になじんでいくようにする事が出来るヒータ制御装置としたものである。
【００１１】
また、本発明のヒータ制御装置は、タイマー時間Ｔが経過した時点で温度センサによりヒータの温度を検出し、前記ヒータ温度が所定の温度以下であれば前記ヒータへの通電を継続し、所定の温度に到達した時点で前記ヒータ通電を切る構成であるので、前記ヒータが昇温不十分な状態では前記タイマー時間Ｔが経過しても前記ヒータへの通電を自動的に継続するようにしたヒータ制御装置としたものである。
【００１２】
また、本発明のヒータ制御装置は、温度センサによりヒータ温度を検出し、前記ヒータが所定の温度を越えれば前記ヒータへの通電を切り、所定の温度を下回れば前記ヒータへの通電を行うことで前記ヒータ温度を所定の温度付近に保つように制御し、前記ヒータへの通電開始から最初に前記ヒータが前記所定の温度に到達するまでの時間ｔを時間測定手段で測定し、前記時間ｔから所定の方法で算出したタイマー時間Ｔを設定し、前記タイマーが前記時間Ｔを計時すれば前記ヒータへの通電を切る構成とすることで、ヒータ加熱動作時間を実際の加熱対象の温度上昇の速度に応じて自動的に加減することが出来るヒータ制御装置としたものである。
【００１３】
これによって、室温や加熱対象の昇温具合に応じて暖房用ヒータのタイマー動作時間を加減することが自動的に出来るので、固定されたタイマー時間では充分な温度に到達しなかったり、逆に暑くなり過ぎる、という不具合を防ぐことが出来、快適なヒータ制御装置を提供することが出来る。
【発明の効果】
【００１４】
本発明のヒータ制御装置は、温度センサを用いて、室温又はヒータ温度を検出し、検出温度に応じてタイマー動作時間を算出することで、タイマー時間すなわちヒータによる暖房時間を自動的に適切な時間に設定することが出来るので、固定されたタイマー時間では充分な温度に到達しなかったり、逆に暑くなり過ぎる、という不具合を避ける事が出来るので、使い勝手がよく快適なヒータ制御装置を提供することが出来る。
【発明を実施するための最良の形態】
【００１５】
第１の発明は、ヒータと、スイッチと、タイマーと、温度センサとを備え、前記スイッチの操作で前記ヒータへの通電開始と前記タイマーの計時開始と、前記温度センサでの室温情報取得とを行い、前記室温情報から所定の方法で算出したタイマー時間Ｔを設定し、前記タイマーが所定の時間Ｔを計時すれば前記ヒータへの通電を切る構成とすることで、ヒータ加熱動作時間を加熱開始時の室温に応じて自動的に加減することが出来るヒータ制御装置としたものであり、室温が低い場合は長時間ヒータ動作を行い、室温が高めのとき
は短時間だけヒータ動作を行う、ということが自動的に出来るので、操作性がよく、快適なヒータ制御装置を提供することが出来る。
【００１６】
第２の発明は、ヒータと、スイッチと、タイマーと、温度センサとを備え、前記スイッチの操作で前記ヒータへの通電開始と前記タイマーの計時開始とを行い、前記タイマーが時間Ｔを計時した時に、前記温度センサが取得した室温情報が所定の温度以下の場合は、前記ヒータ通電を継続し、前記タイマーが時間Ｔ＋Ｔ２を計時すれば前記ヒータへの通電を切る構成としたものであり、前記タイマーにより前記ヒータをＯＦＦする時点での室温を前記温度センサで検知し、室温が所定の温度以下であれば前記ヒータ通電を時間Ｔ２だけ延長する構成とすることで、室温が低いときにはタイマー時間を自動延長することが出来るようにすることで、加熱不足を自動的に防ぐことが出来るので、予想外に冷えてきて不快になることを自動的に防ぐことが出来る。
【００１７】
第３の発明は、特に第１の発明のタイマーが時間Ｔを計時した時に、温度センサが取得した室温情報が所定の温度以下の場合は、ヒータの電力を徐々に落としながら通電継続し、前記タイマーが時間Ｔ＋Ｔ２を計時すれば前記ヒータへの通電を切る構成としたものであり、室温が低い場合はタイマー時間が来てもヒータ通電をすぐに切らずに徐々に室温になじむようにゆっくりとヒータ温度を下げることが出来るので、使用者は、ヒータが急に冷えて不快となることを防ぐことが出来る。
【００１８】
第４の発明は、ヒータと、スイッチと、タイマーと、温度センサとを備え、前記スイッチの操作で前記ヒータへの通電開始と前記タイマーの計時開始とを行い、前記温度センサで前記ヒータの温度情報を取得し、所定の設定温度以上であれば前記ヒータへの通電を切り、前記設定温度以下であれば前記ヒータへ通電する、ということを常に繰り返すことで、前記ヒータの温度を前記設定温度付近に保つ機能を備え、前記タイマーが時間Ｔを計時した時に、前記温度センサが取得した前記ヒータの温度が前記設定温度以下の場合は、前記ヒータ通電を継続し、前記設定温度に到達した時点で前記ヒータへの通電を切る構成としたものであり、前記ヒータが昇温不十分な状態では前期タイマー時間Ｔが経過しても前記ヒータへの通電を自動的に継続するようにすることで、加熱不足を自動的に防ぐことが出来るので、予想外に冷えてきて不快になることを自動的に防ぐことが出来る。
【００１９】
第５の発明は、ヒータと、スイッチと、タイマーと、時間測定手段と、温度センサとを備え、前記スイッチの操作で前記ヒータへの通電開始と前記タイマーの計時開始と時間測定手段の計時開始を行い、前記温度センサで前記ヒータの温度情報を取得し、所定の設定温度以上であれば前記ヒータへの通電を切り、前記設定温度以下であれば前記ヒータへ通電する、ということを常に繰り返すことで、前記ヒータの温度を前記設定温度付近に保つ機能を備え、前記時間測定手段は前記ヒータへの通電開始から、最初に前記ヒータへの通電を切るまでの時間ｔを測定し、前記時間ｔから所定の方法で算出したタイマー時間Ｔを設定し、前記タイマーが時間Ｔを計時すれば前記ヒータへの通電を切る構成としたものであり、ヒータ加熱動作時間を実際の加熱対象の温度上昇の速度に応じて自動的に加減することが出来るので、適切な加熱時間を自動的に決定することが出来、操作性がよく快適なヒータ加熱装置を提供することが出来る。
【００２０】
以下、本発明の実施の形態について、図面を参照しながら説明する。なお、本実施の形態によって本発明が限定されるものではない。
【００２１】
（実施の形態１）
図１は、本発明の第１の実施の形態におけるヒータ制御装置の回路ブロック図を示すものである。
【００２２】
本実施例は、自動車の座席に組み込まれる座席暖房用のヒータの温度制御装置への応用例である。
【００２３】
図１において、ヒータ１は暖房用加熱装置として機能し、タイマー機能を内蔵したマイコン２で制御されるようになっている。マイコン２にはスイッチ３が接続されており、スイッチ３の操作によって信号が入力され、内蔵のタイマー情報と合わせて判断することで、ヒータ１のＯＮまたはＯＦＦを決定し、ＦＥＴ４へ信号を送ることでヒータ１を制御している。またマイコン２には温度センサ５と抵抗６が接続されている。温度センサ５は温度に応じて抵抗値が変化するサーミスタで、抵抗６との分圧回路を構成することにより、マイコン２に入力される電圧は温度に応じた電圧値となる。この電圧をマイコン２は内蔵のＡＤ変換器によりデジタル値に変換し、さらに温度情報に換算する。電源７はマイコン２やヒータ１や温度センサ５に電源を供給している。
【００２４】
以上のように構成されたヒータ制御装置について、以下その動作、作用について図２のフローチャートも参照しながら説明する。
【００２５】
まず、フロー８でスイッチ３を押すとフロー９に進みマイコン２はＦＥＴ４に信号を出力してヒータ１をＯＮさせて加熱動作を開始し、同時にタイマーが計時を開始し、さらに温度センサ５によって室温を検出し、この室温情報もマイコン２に入力される。
【００２６】
次にフロー１０では、先ほど入手した室温情報を換算して、室温が低いときは充分に温まるように長い時間を、室温が高い場合は熱くなり過ぎないように短い時間となるようにタイマー時間Ｔを設定する。
【００２７】
次にフロー１１へ進み、タイマーが時間Ｔを超えない場合はフロー１１へ戻り、時間Ｔの経過を待つ動作を繰り返す。フロー１１でタイマーが時間Ｔを超えた場合、フロー１２へ進んでヒータ１をＯＦＦさせるようにマイコン２が動作する。
【００２８】
以上のように、本発明の形態では、ヒータ１による暖房加熱が自動ＯＦＦするタイマー時間を、温度センサで得た室温情報に応じて、室温が低いときはタイマー時間を長く、室温が高いときはタイマー時間を短く自動的に設定するようになっているので、最適な加熱時間に設定する事が出来、快適なヒータ制御装置を提供する事が出来る。
【００２９】
（実施の形態２）
図３は、本発明の第２の実施の形態のヒータ制御装置の動作を示すフローチャートである。システム構成は実施の形態１と同じ図１であるため説明を省略する。
【００３０】
以下、図１、図３を参照しながら動作、作用について説明する。
【００３１】
まず、フロー１３でスイッチ３を押すと、フロー１４に進み、マイコン２は、ＦＥＴ４に信号を出力してＯＮさせることでヒータ１に通電開始して暖房加熱動作に入り、同時にタイマーの計時開始と、温度センサ５による室温情報の取得を開始する。
【００３２】
次にフロー１５でタイマーが時間Ｔを超えない場合はフロー１５へ戻り、時間Ｔの経過を待つ動作を繰り返す。フロー１５でタイマーが時間Ｔを超えた場合、フロー１６へ進んで温度センサ５による最新の室温情報Ａを取得し、温度Ａが、あらかじめ設定された温度Ｂよりも低い温度であればフロー１８へ進んで、タイマーが時間Ｔ＋Ｔ２の経過を超えない場合はフロー１８へ戻り、時間Ｔ＋Ｔ２の経過を待つ動作を繰り返し、フロー１８でタイマーが時間Ｔ＋Ｔ２を超えた場合、フロー１９へ進んでヒータ１をＯＦＦさせるようにマイコン２が動作する。フロー１７で温度Ａが温度Ｂ以上である場合も、フロー１９へと
進んでヒータ１をＯＦＦさせる。
【００３３】
以上のように、本発明の形態では、ヒータ１による暖房加熱がタイマーで自動ＯＦＦする時点において、室温が低い場合はヒータ１による暖房加熱を時間Ｔ２だけ自動的に延長する事が出来るので、周囲環境の変化に応じて最適なヒータ制御動作を行うことが可能となり、使い勝手の良い快適なヒータ制御装置を提供することが出来る。
【００３４】
（実施の形態３）
図４は、本発明の第３の実施の形態のヒータ制御装置の動作を示すフローチャートである。システム構成は実施の形態１〜２と同じ図１であるため説明を省略する。
【００３５】
以下、図１、図４を参照しながら動作、作用について説明する。
【００３６】
まず、フロー２０でスイッチ３を押すと、フロー２１に進み、マイコン２は、ＦＥＴ４に信号を出力してＯＮさせることでヒータ１に通電開始して暖房加熱動作に入り、同時にタイマーの計時開始と、温度センサ５による室温情報の取得を開始する。
【００３７】
次にフロー２２でタイマーが時間Ｔを超えない場合はフロー２２へ戻り、時間Ｔの経過を待つ動作を繰り返す。フロー２２でタイマーが時間Ｔを超えた場合、フロー２３へ進んで温度センサ５による最新の室温情報Ａを取得する。
【００３８】
次にフロー２４へ進んで、温度Ａが、あらかじめ設定された温度Ｂよりも低い温度であればフロー２５へ進んで、ヒータ１の通電率を５０％とする。具体的には、例えばヒータ１への通電を０．５秒間行った後０．５秒間は通電しない、という動作を繰り返す。
【００３９】
次にフロー２６ではタイマーによって、時間Ｔ＋Ｔ２／３の経過を待ち、経過すればフロー２７へ進んで、ヒータ１への通電率をさらに下げて２５％とする。具体的には、例えば、ヒータ１への通電を０．２５秒間行った後０．７５秒間は通電しない、という動作を繰り返す。
【００４０】
次にフロー２８ではタイマーによって、時間Ｔ＋２ｘＴ２／３の経過を待ち、経過すればフロー２９へ進んで、ヒータ１への通電率をさらに下げて１０％とする。具体的には、例えば、ヒータ１への通電を０．１秒間行った後０．９秒間は通電しない、という動作を繰り返す。
【００４１】
次にフロー３０ではタイマーによって、時間Ｔ＋Ｔ２の経過を待ち、経過すればフロー３１へ進んで、ヒータ１への通電を切る。
【００４２】
フロー２４で温度Ａが、あらかじめ設定された温度Ｂ以上であった場合はフロー３１へ進んで、ヒータ１への通電を切る。
【００４３】
以上のように、本発明の形態では、ヒータ１による暖房加熱がタイマーで自動ＯＦＦする時点において、室温が低い場合はヒータ１による暖房加熱を時間Ｔ２だけ自動的に延長し、さらに時間Ｔ２を３分割して徐々にヒータ１の通電率を下げてからヒータ１への通電を切る事が出来るので、ゆっくりと温度を下げる事により、使用者が室温になじんだ状態で過熱動作を止めることとなり、周囲環境の変化に応じて最適なヒータ制御動作を行うことが、より違和感の少ない状態で可能となり、使い勝手の良い快適なヒータ制御装置を提供することが出来る。
【００４４】
（実施の形態４）
図５は、本発明の第４の実施の形態のヒータ制御装置の動作を示すフローチャートである。システム構成は実施の形態１〜３と同じ図１であるため説明を省略する。
【００４５】
以下、図１、図５を参照しながら動作、作用について説明する。
【００４６】
まず、フロー３２でスイッチ３を押すと、フロー３３に進み、マイコン２は、ＦＥＴ４に信号を出力してＯＮさせることでヒータ１に通電開始して暖房加熱動作に入り、同時にタイマーの計時開始と、温度センサ５によるヒータ１の温度情報の取得を開始する。
【００４７】
次にフロー３４でタイマーが時間Ｔを超えない場合はフロー３５へ、超えた場合はフロー３８へと進む。
【００４８】
フロー３５では、温度センサ５によるヒータ１の温度が、予め設定された所定の温度Ｃ未満であればフロー３６へ進んでヒータ１への通電を行い、温度Ｃ以上であればフロー３７へ進んでヒータ１への通電を切り、いずれの場合もフロー３４へ戻って、タイマーが時間Ｔに達するまで以上の動作を継続する。
【００４９】
フロー３８ではヒータ１が温度Ｃ未満であればフロー３８へ戻って温度上昇するのを待ち、温度Ｃ以上となればフロー３９へ進んでヒータ１への通電を切る。
【００５０】
以上のように、本発明の形態では、ヒータ１による暖房加熱はタイマー時間Ｔまではヒータ１の温度を所定の温度Ｃに保持するように温度調節を行い、タイマー時間Ｔを計時した時点でヒータ１が温度Ｃ未満であれば、ヒータ１への通電を継続し、温度Ｃに到達時点まで暖房過熱を自動的に継続する構成であるので、充分に温まってからヒータ１を自動ＯＦＦすることができるので、ＯＦＦ時の違和感が少ない快適なヒータ制御装置を提供することが出来る。
【００５１】
（実施の形態５）
図４は、本発明の第５の実施の形態のヒータ制御装置の動作を示すフローチャートである。システム構成は実施の形態１〜４と同じ図１であるため説明を省略する。
【００５２】
以下、図１、図６を参照しながら動作、作用について説明する。
【００５３】
まず、フロー４０でスイッチ３を押すと、フロー４１に進み、マイコン２は、ＦＥＴ４に信号を出力してＯＮさせることでヒータ１に通電開始して暖房加熱動作に入り、同時にタイマーの計時開始と、時間測定手段の計時開始と、温度センサ５によるヒータ１の温度情報の取得を開始する。
【００５４】
次にフロー４２でヒータ１の温度が予め設定された温度Ｃ未満であれば、フロー４２に戻ってヒータ１の温度上昇を待ち、温度Ｃ以上となれば、フロー４３へ進んでヒータ１への通電を切り、フロー４４へ進んで、時間測定手段により計時開始から今までの時間ｔを確定する。さらに時間ｔから所定の換算手段でタイマー時間Ｔを決定する。すなわち、時間ｔが長ければ、暖房開始時点の温度が低く目標温度Ｃとの差が大きいことであり、充分な暖房時間が確保できるようにタイマー時間Ｔを長めに設定する。逆に暖房開始時点の温度が高くて目標温度Ｃとの差が少ない場合は、加熱しすぎて暑くならないようにタイマー時間Ｔを短めに設定する。
【００５５】
次にフロー４５へ進み、タイマーが時間Ｔを計時するまではフロー４７へ、時間Ｔを計時すればフロー４６へ進んでヒータ１への通電を切る。
【００５６】
フロー４７では、ヒータ１が温度Ｃ未満であればフロー４８へ進んでヒータ１へ通電を行い、ヒータ１が温度Ｃ以上であればフロー４９へ進んでヒータ１への通電を切り、いずれの場合もフロー４５へ戻って、以上の動作をタイマーが時間Ｔを計時するまで継続するので、ヒータ１を一定の温度Ｃに保持する事が出来る。
【００５７】
以上のように、本発明の形態では、ヒータ１の温度を一定の温度Ｃに保ちながらタイマー時間Ｔまで過熱する動作を行うが、タイマー時間Ｔの確定は、ヒータ１での加熱開始から最初にヒータ１が温度Ｃに到達するまでの時間に応じて自動的に計算されて確定するので、室温が低くて温度が上がりにくいときはタイマー時間を長く、室温が高くて温度が上がりやすいときはタイマー時間を短く自動的に設定することができ、しかも実際のヒータの温度上昇状況から決定するので、最適な加熱時間をより精度高く設定することが可能となり、快適なヒータ制御装置を提供する事が出来る。
【産業上の利用可能性】
【００５８】
以上のように、本発明にかかるヒータ制御装置は、ヒータ加熱開始時または動作中またはタイマーによる自動ＯＦＦ直前に、温度センサによって室温又はヒータ温度の情報、又はヒータ温度上昇速度に応じて、最適なタイマー時間を自動的に設定する構成であるので、加熱不足や過過熱を防ぎ、より適温での加熱を精度よく実現する事が可能となるので、使い勝手がよく快適なヒータ制御装置を提供する事が出来る。
【図面の簡単な説明】
【００５９】
【図１】本発明の実施の形態１〜５におけるヒータ制御装置の回路ブロック図
【図２】本発明の実施の形態１におけるヒータ制御装置の動作フローチャート
【図３】本発明の実施の形態２におけるヒータ制御装置の動作フローチャート
【図４】本発明の実施の形態３におけるヒータ制御装置の動作フローチャート
【図５】本発明の実施の形態４におけるヒータ制御装置の動作フローチャート
【図６】本発明の実施の形態５におけるヒータ制御装置の動作フローチャート
【図７】従来のヒータ制御装置の回路ブロック図
【符号の説明】
【００６０】
１  ヒータ
２  マイコン（タイマー内蔵、時間測定手段内蔵）
３  スイッチ
５  温度センサ
【図１】
2008267612.tif 000003
【図２】
2008267612.tif 000004
【図３】
2008267612.tif 000005
【図４】
2008267612.tif 000006
【図５】
2008267612.tif 000007
【図６】
2008267612.tif 000008
【図７】
2008267612.tif 000009